(57)【要約】【課題】好みに応じて香の強さを調整できる芳香ランプを提供する。【解決手段】ランプシェード３の上面に香油貯留皿４を設け、ランプシェード３内の白熱電球２の熱で香油貯留皿４の香油を蒸発する芳香ランプ１６において、前記白熱電球２の照度を強弱に調節する調光器を白熱電球２に接続する。  さらに、白熱電球２の所定範囲内で連続的に変化させる電圧調節回路、白熱電球２のオンオフ時間を決定するタイマを設ける。また、電圧調節回路に圧自動調整手段を接続するとよい。【選択図】図１
0003146210.tif 000002
【実用新案登録請求の範囲】
【請求項１】
ランプシェードの上面に香油貯留皿を設け、ランプシェード内の白熱電球の熱で香油貯留皿の香油を蒸発する芳香ランプにおいて、
前記白熱電球の照度を強弱に調節する調光器を白熱電球に接続してなる芳香調節装置。
【請求項２】
白熱電球の電圧を所定範囲内で連続的に変化させる電圧調節回路を、前記白熱電球に接続してなる請求項１記載の芳香調節装置。
【請求項３】
前記電圧調節回路に、
白熱電球の電圧をスイッチをオンしたときに最小にし、所定時間掛けて最大にすると共に、白熱電球の電圧をスイッチをオフしたときに最大にし、所定時間掛けて最小にする電圧自動調整手段を接続することを特徴とする請求項２記載の芳香調節装置。
【請求項４】
前記白熱電球のオンまたはオフする時間を決定するタイマを前記電圧調節回路に接続してなる請求項１乃至３のいずれか１項に記載の芳香調節装置。
【請求項５】
前記ランプシェードを円筒形に形成し、その底面の一部を半円形板で塞いで残余を開放部となし、この半円形板の、底面の中心より外れた位置に通孔を穿ち、
そして前記底面の開放部よりランプシェード内に挿入した白熱電球を支持するＬ字金具の水平片にねじ孔を設け、このねじ孔に前記通孔を経て挿通した止めねじをねじ止めして成る請求項１乃至４のいずれか１項に記載の芳香調節装置。
【考案の詳細な説明】
【技術分野】
【０００１】
本考案は、揮発性を有する香油を電球からの熱で揮発させる芳香ランプの芳香調節装置に関する。
【背景技術】
【０００２】
揮発性を有する香油を、ランプシェード内部の光源の上部に配置した香油皿に入れ、光源の熱により揮発させる芳香ランプがある（特許文献１）。
香りを楽しむ機能と同時に、照明器具としての機能を有する。
【０００３】
しかし、ゆっくりと香油を揮発させ、ほのかな香を発散させるとか、比較的早い時間で香油を揮発させ、強い香を発散させるというような、好みに応じて香りの強さを調整することができなかった。
【特許文献１】実用新案登録第３０８６６７０号公報
【考案の開示】
【考案が解決しようとする課題】
【０００４】
本考案は、好みに応じて香の強さを調整できる芳香ランプを提供することにある。
【課題を解決するための手段】
【０００５】
そのために請求項１の考案は、ランプシェードの上面に香油貯留皿を設け、ランプシェード内の白熱電球の熱で香油貯留皿の香油を蒸発する芳香ランプにおいて、前記白熱電球の照度を強弱に調節する調光器を白熱電球に接続してなる。
請求項２の考案は、請求項１の芳香調節装置において、白熱電球の電圧を所定範囲内で連続的に変化させる電圧調節回路を、白熱電球に接続してなる。
請求項３の考案は、請求項２の考案において、電圧調節回路に、
白熱電球の電圧をスイッチをオンしたときに最小にし、所定時間掛けて最大にすると共に、白熱電球の電圧をスイッチをオフしたときに最大にし、所定時間掛けて最小にする電圧自動調整手段を接続することを特徴とする。
請求項４の考案は、請求項１乃至３の考案において、白熱電球のオンまたはオフする時間を決定するタイマを電圧調節回路に接続してなる。
請求項５の考案は、請求項１乃至４の考案において、ランプシェードを円筒形に形成し、その底面の一部を半円形板で塞いで残余を開放部となし、この半円形板の、底面の中心より外れた位置に通孔を穿ち、そして前記底面の開放部よりランプシェード内に挿入した白熱電球を支持するＬ字金具の水平片にねじ孔を設け、このねじ孔に前記通孔を経て挿通した止めねじをねじ止めして成る。
【０００６】
白熱電球の照度を調整することにより、照度に応じて白熱電球からの熱量が変化し、香油貯留皿に入れた香油の単位時間あたりの気化する量が変化する。高照度のときは香料の気化する量が多く、低照度のときは香料の気化する量が少なくなる。
【考案の効果】
【０００７】
請求項１の考案によれば、好みに応じて香の強さを調整できる。また、香の強さの調節具合を芳香ランプの明るさによって知ることができる。
請求項２の考案によれば、白熱電球の照度を任意に調節できる。
請求項３の考案によれば、点灯時及び消灯時に明るさを徐々に変化させることができる。よって、日の出（徐々に明るくなる）、日の入り（徐々に暗くなる）時の照度の変化に似た状態にできる。
請求項４の考案によれば、白熱電球の点灯時間を制御することにより芳香の発生時間を調節できる。また、前記請求項３の考案と連動させることにより、起床、入眠を円滑に行わせることができる。
請求項５の考案によれば、Ｌ字金具を回して適当な位置で固定することにより、白熱電球をランプシェードの中心に簡単にセットでき。そして、白熱電球を香油貯留皿に円滑に伝え香油を蒸発することができる。
【考案を実施するための最良の形態】
【０００８】
本考案の実施形態を図面に示す。
図１において、１はソケット状の電球取付具であり、上面の略中央に、白熱電球２を螺合する。
３は底面が開放した筒状の陶器製のランプシェードであり、上面に内側に向け凹ませた香油貯留皿４を有し、側面に複数の開口５を設ける。また、ランプシェード３は、下端部に電源コード通過用の溝６を設け、下部内側に、ランプシェード３と一体の半円形板７を設ける。この半円形板７には底面の中心より外れた位置に通孔１８を穿設する。
８は、半円形板７とランプシェード３との間の半円形状の開放部である。
【０００９】
白熱電球２は、ソケット状の電球取付具１、電源コード９を介して電源（図示せず）に接続するとともに、電源コード９にスイッチ部１０を接続する。
ソケット状の電球取付具１にはＬ字金具１９を取り付け、Ｌ字金具１９の水平片に、ねじ孔２０を設ける。
図２に示すように、スイッチ部１０は、調光器（図示せず）及びタイマ（図示せず）を内蔵し、表面にオン／オフスイッチを兼ねた調光用スイッチ１１と、タイマ用スイッチ１２を備える。
調光器は白熱電球２の照度を強弱に調節するものである。タイマは、選択された時間が来ると、白熱電球２を点灯または消灯するものである。
１３はオン／オフ表示ランプ、１４はタイマ表示ランプ、１５は調光表示ランプであり、いずれのランプもＬＥＤ製である。
【００１０】
調光用スイッチ１１は、これを押すことにより、高、中、低、切というように白熱電球２の照度を順次選択可能にする。高のときは、図中３つある調光表示ランプ１５の内の左端が点灯する。中のときは図中３つある調光表示ランプ１５の内の真ん中が、低のときは図中３つある調光表示ランプ１５の内の右端が点灯する。
また、白熱電球２に電力が供給されているときは、オン／オフ表示ランプ１３が点灯し、白熱電球２に電力が供給されていないときは、オン／オフ表示ランプ１３が消灯する。オン／オフ表示ランプ１３が点灯し、白熱電球２が点灯しない場合は、白熱電球２が切れている。これにより白熱電球を交換する時期がわかる。
タイマ用スイッチ１２は、これを押すことにより、所定の時間が来たときに白熱電球２それまでの状態と反対の状態になるよう制御する時間を、１時間、２時間、３時間というように決める。すなわち、電球２が点灯した状態でタイマ用スイッチ１２を押すと、所定時間経過後に消灯する。電球２が消灯した状態でタイマ用スイッチ１２を押すと、所定時間経過後に点灯する。タイマ表示ランプ１４は例えば左から順に１時間、２時間、３時間後に点灯または消灯することを示すものである。タイマ用スイッチ１２は、これを押す毎に例えば１時間、２時間、３時間、タイマ作動切りとなるようにする。
【００１１】
芳香ランプ１６は、半円形板７の通孔１８側からねじ２１を挿通し、Ｌ字金具１９に設けたねじ孔２０を介しソケット状の電球取付具１を着脱自在に螺合することにより、ランプシェード３と白熱電球２など一体にしたものである（図３参照）。
【００１２】
このようにしてなる芳香ランプ１６は、通常香油貯留皿４に香油を３〜５滴入れ、白熱電球２を点灯する。白熱電球２からの熱により香油が気化し、照度が高い場合であっても２〜３時間芳香を放つ。
連続して芳香を放出させる場合は、香油貯留皿４中の香油の量が少なくなってきたら、香油を継ぎ足せばよい。
調光用スイッチ１１を押して白熱電球２の照度を選択すると、照度に応じて香油の単位時間あたりの気化する量が変化する。白熱電球２が明るいときほど香油の気化する量は多くなる。
ランプシェード３に設けた開口５により弱い光であっても白熱電球２の点灯がわかる。よって、調光用スイッチ１１により低を選択したとしても白熱電球２の点灯により、調光の度合いが分かるので、前記調光表示ランプ１５は設けなくてもよい。
タイマ用スイッチ１２を押して白熱電球２を点灯または消灯する時間を設定すると、所定時間経過後に白熱電球２は自動的に点灯または消灯する。
【００１３】
上記の調光制御とタイマ制御は別々であっても良いが、両者を関連づけて制御するようにしても良い。
すなわち、前記スイッチ部１０に、電圧調節回路（図示せず）、電圧自動調整手段（図示せず）を設ける。電圧調節回路は可変抵抗器を使用して白熱電球２の電圧を所定範囲内で連続的に変化させるものである。電圧自動調整手段は、自動で電圧調節回路を制御して、白熱電球２の電圧をスイッチをオンしたときに最大にし、所定時間掛けて最小にすると共に、白熱電球２の電圧をスイッチをオフしたときに最小にし、所定時間掛けて最大にするものである。
さらに、スイッチ部１０の表面におやすみ／お目覚めスイッチ１７を設ける。
タイマ用スイッチ１２により所定時間経過後に白熱電球２を消灯する指示がされ、且つおやすみ／お目覚めスイッチ１７が押された場合（おやすみモード）、電圧自動調整手段により、所定時間の約３０〜６０分前から、白熱電球２に供給する電力を徐々に少なくし最後に消灯する制御を行う。
また、タイマ用スイッチ１２により所定時間経過後に電球２を点灯する指示がされた、且つおやすみ／お目覚めスイッチ１７が押された場合（お目覚めモード）、電圧自動調整手段により、所定時間経過後に供給する電力を最小の状態（可変抵抗の抵抗値最大の状態）で白熱電球２を点灯した後、約３０〜６０分かけて白熱電球２に供給する電力を徐々に多くする制御を行う。
【００１４】
おやすみモードの場合は、リラックス効果の高い香油を使用する。白熱電球２が徐々に暗くなり、円滑に入眠できる。また、これに伴い香油の気化する量も徐々に減少し、円滑に入眠する手助けになる。
お目覚めモードの場合は、脳の働きを活性化する高い香油を使用する。白熱電球２が徐々に明るくなり、円滑に起床できる。また、これに伴い香油の気化する量も徐々に増加し、円滑に起床する手助けになる。
【００１５】
なお、白熱電球２を交換する場合には、半円形板７とランプシェード３との間の半円形状の開放部８より手を入れてソケット状の電球取付具１を持ってねじ２１を外し、電球取付具１と共に電球２を取り出して行う。
また、ランプシェード３は陶器製であり、香油貯留皿４はこれと一体であるので、既に熱せられた香油貯留皿４に冷たい香油を継ぎ足しても、香油貯留皿４は壊れない。
【図面の簡単な説明】
【００１６】
【図１】本考案の芳香ランプの断面図である。
【図２】スイッチ部の平面図である。
【図３】芳香ランプの底面図である。
【符号の説明】
【００１７】
１    電球取付具
２    白熱電球
３    ランプシェード
４    香油貯留皿
５    開口
６    電源コード通過用の溝
７    半円形板
９    電源コード
１０    スイッチ部
１６    芳香ランプ
【図１】
0003146210.tif 000003
【図２】
0003146210.tif 000004
【図３】
0003146210.tif 000005